(57)【要約】【課題】複数のラック装置を用いた構成において、必要電力値の超過等が生じた場合にも電力供給をフレキシブルに行い、分電盤の設計を容易に行うことのできるラックマウントシステム、およびそれに用いるラック装置、ラックマウントシステムの制御方法を提供することを目的とする。【解決手段】ラック装置１０毎に、当該ラック装置１０が許容できる電力を超えないように使用電力の制御（天井制御）を実施する。各ラック装置１０において、使用電力が許容できる電力を超えたときには、一部のコンピュータ機器１００の使用を停止させる。そして、電力が余剰している他のラック装置１０から、使用を停止させたコンピュータ機器１００に対し、電力の供給を受ける。【選択図】図１
2010134633.tif 000002
【特許請求の範囲】
【請求項１】
複数のコンピュータ機器を搭載し、個々の前記コンピュータ機器に電力を供給するラック装置を、複数組備えるラックマウントシステムであって、
複数組の前記ラック装置は、電力供給源から電力を供給する第一の電力供給系統にそれぞれ接続されるとともに、複数組の前記ラック装置間で電力を供給しあうための第二の電力供給系統により互いに接続され、
前記ラック装置は、前記第一の電力供給系統から電力の供給を受けて作動中、当該ラック装置に搭載された前記コンピュータ機器のそれぞれにおける使用電力を検出し、
検出された前記使用電力の合計値が予め設定された使用電力上限値を超えたときに、前記第二の電力供給系統を介して他の前記ラック装置から電力供給を受けることを特徴とするラックマウントシステム。
【請求項２】
前記ラック装置は、
当該ラック装置に搭載される前記コンピュータ機器のそれぞれに電力を供給する複数の電源ポートと、
前記電源ポートにおける電力供給量を検出する電力測定器と、
前記電源ポートを、前記第一の電力供給系統および前記第二の電力供給系統のいずれか一方に選択的に接続する電力供給系統選択手段と、
前記ラック装置に備えられた全ての前記電力測定器における電力供給量の合計値を算出することで前記使用電力の合計値を検出し、検出された前記使用電力の合計値が、予め設定された使用電力上限値を超えたときに、他の前記ラック装置に対し、電力供給を要求する制御部と、
を備えることを特徴とする請求項１に記載のラックマウントシステム。
【請求項３】
前記制御部は、他の前記ラック装置から電力供給を受ける場合、前記電力供給選択手段にて、前記電源ポートを前記第二の電力供給系統に接続することを特徴とする請求項２に記載のラックマウントシステム。
【請求項４】
前記制御部は、前記使用電力の合計値が、前記使用電力上限値を超えたときに、前記ラック装置に搭載された複数の前記コンピュータ機器のうち、一部の前記コンピュータ機器への電力供給を停止することを特徴とする請求項１から３のいずれかに記載のラックマウントシステム。
【請求項５】
前記ラック装置に搭載される前記コンピュータ機器のそれぞれについて、予め設定された優先順位を示す情報を格納する優先順位情報格納部をさらに備え、
前記制御部は、前記使用電力の合計値が、前記使用電力上限値を超えたときに、前記優先順位情報格納部を参照し、前記ラック装置に搭載された複数の前記コンピュータ機器のうち、前記優先順位が低い前記コンピュータ機器への電力供給を停止することを特徴とする請求項１から４のいずれかに記載のラックマウントシステム。
【請求項６】
前記ラック装置に搭載される前記コンピュータ機器のそれぞれについて、予め設定された使用電力の見積値を格納する使用電力見積値格納部をさらに備え、
前記制御部は、前記使用電力の合計値が、前記使用電力上限値を超えたときに、前記使用電力見積値格納部と前記電力測定器の測定値を参照して、前記測定値が前記使用電力の見積値を上回っている前記コンピュータ機器を特定し、特定された前記コンピュータ機器への電力供給を停止することを特徴とする請求項１から４のいずれか記載のラックマウントシステム。
【請求項７】
前記制御部は、他の前記ラック装置から電力供給を要求された場合、当該制御部が備えられた前記ラック装置における前記使用電力の合計値が、前記使用電力上限値を下回っているときに、他の前記ラック装置への電力供給を行うことを特徴とする請求項１から６のいずれかに記載のラックマウントシステム。
【請求項８】
複数のコンピュータ機器を搭載し、個々の前記コンピュータ機器に電力を供給するラック装置であって、
前記コンピュータ機器のそれぞれに電力を供給する複数の電源ポートと、
前記電源ポートにおける電力供給量を検出する電力測定器と、
外部の電力供給源から電力の供給を受ける第一の電力供給系統と、
他のラック装置から電力の供給を受ける第二の電力供給系統と、
前記電源ポートを、前記第一の電力供給系統および前記第二の電力供給系統のいずれか一方に選択的に接続する電力供給系統選択手段と、
前記ラック装置に備えられた全ての前記電力測定器における電力供給量の合計値を算出することで前記使用電力の合計値を検出し、検出された前記使用電力の合計値が、予め設定された使用電力上限値を超えたときに、前記他のラック装置に対し、電力供給を要求する制御部と、を備えることを特徴とするラック装置。
【請求項９】
複数のコンピュータ機器を搭載し、個々の前記コンピュータ機器に電力を供給するラック装置を複数組備えたラックマウントシステムにおける前記ラック装置の制御方法であって、
前記ラック装置に搭載された前記コンピュータ機器のそれぞれにおける使用電力を検出するステップと、
検出された前記使用電力の合計値が予め設定された使用電力上限値を超えたか否かを判定するステップと、
前記使用電力の合計値が前記使用電力上限値を超えたときに、他の前記ラック装置から電力供給を受けるステップと、
を含むことを特徴とするラック装置の制御方法。
【発明の詳細な説明】
【技術分野】
【０００１】
本発明は、複数のコンピュータ機器を収容するラック装置を複数組備えたラックマウントシステム、およびそれに用いるラック装置、ラック装置の制御方法に関するものである。
【背景技術】
【０００２】
データセンタ等の多数のコンピュータ機器を利用する部門などにおいて、設置面積の効率化、管理の効率化等を目的として、各種のコンピュータ機器をラック装置に搭載して設置する、ラックマウントシステムが用いられている（例えば、特許文献１参照。）。
【０００３】
このようなラック装置を複数台設置する場合、分電盤から個々のラック装置に電力が分配供給される。ラック装置に搭載されるコンピュータ機器には、ラック装置に設けられた電力分配部にコンピュータ機器を接続することで、電力供給が行われる。
【特許文献１】特開２００７−３２４４２７号公報
【発明の開示】
【発明が解決しようとする課題】
【０００４】
ラック装置を接続する分電盤の設計は、ラックマウントシステムの最大構成に必要な容量を用いて行われている。昨今、ラック装置に搭載されるコンピュータ機器の必要電源容量の増加に伴い、分電盤への影響が大きくなっている。すなわち、ラック装置に実際に搭載されるコンピュータ機器の構成に応じた電力値での分電盤の設計を要望されるケースが増大している。また、データセンタではラック装置あたりで使用できる電力の上限が決められている場合も多い。このため実際の構成に応じた電力値を見積もるためのツールを用いることなどで対応を取っている。しかし、いずれの場合においても、実際の構成に応じた電力値の見積もり、それに基づいた分電盤の設計には多大な手間とコストを要している。
【０００５】
また、見積値での分電盤の設計を行った場合、事前の見積もりでは予測できなかった不測の事態が発生し、電力値が超過になった場合に、それをガードすることができず分電盤への影響が発生してしまう。
【０００６】
本発明は、このような事情に鑑みてなされたものであって、複数のラック装置を用いた構成において、必要電力値の超過等が生じた場合にも電力供給をフレキシブルに行い、分電盤の設計を容易に行うことのできるラックマウントシステム、およびそれに用いるラック装置、ラック装置の制御方法を提供することを目的とする。
【課題を解決するための手段】
【０００７】
かかる目的のもとになされた本発明のラックマウントシステムは、複数のコンピュータ機器を搭載し、個々のコンピュータ機器に電力を供給するラック装置を、複数組備えるラックマウントシステムであって、複数組のラック装置は、電力供給源から電力を供給する第一の電力供給系統にそれぞれ接続されるとともに、複数組のラック装置間で電力を供給しあうための第二の電力供給系統により互いに接続され、ラック装置は、第一の電力供給系統から電力の供給を受けて作動中、当該ラック装置に搭載されたコンピュータ機器のそれぞれにおける使用電力を検出し、検出された使用電力の合計値が予め設定された使用電力上限値を超えたときに、第二の電力供給系統を介し、他のラック装置から電力供給を受けることを特徴とする。
【０００８】
本発明のラック装置は、複数のコンピュータ機器を搭載し、個々のコンピュータ機器に電力を供給するラック装置であって、コンピュータ機器のそれぞれに電力を供給する複数の電源ポートと、電源ポートにおける電力供給量を検出する電力測定器と、外部の電力供給源から電力の供給を受ける第一の電力供給系統と、他のラック装置から電力の供給を受ける第二の電力供給系統と、電源ポートを、第一の電力供給系統および第二の電力供給系統のいずれか一方に選択的に接続する電力供給系統選択手段と、ラック装置に備えられた全ての電力測定器における電力供給量の合計値を算出することで使用電力の合計値を検出し、検出された使用電力の合計値が、予め設定された使用電力上限値を超えたときに、他のラック装置に対し、電力供給を要求する制御部と、を備えることを特徴とする。
【０００９】
また、本発明のラック装置の制御方法は、複数のコンピュータ機器を搭載し、個々のコンピュータ機器に電力を供給するラック装置を複数組備えたラックマウントシステムにおけるラック装置の制御方法であって、ラック装置に搭載されたコンピュータ機器のそれぞれにおける使用電力を検出するステップと、検出された使用電力の合計値が予め設定された使用電力上限値を超えたか否かを判定するステップと、使用電力の合計値が使用電力上限値を超えたときに、他のラック装置から電力供給を受けるステップと、を含むことを特徴とする。
【発明の効果】
【００１０】
本発明によれば、ラック装置に搭載されたコンピュータ機器のそれぞれにおける使用電力を検出し、検出された使用電力の合計値が予め設定された使用電力上限値を超えたときに、他のラック装置から電力供給を受けることで、必要電力値の超過等が生じた場合にも電力供給をフレキシブルに行い、分電盤の設計を容易に行うことが可能となる。
【発明を実施するための最良の形態】
【００１１】
以下に、本発明にかかる実施形態について、図面を参照して説明する。
図１に示すように、ラックマウントシステムＡは、複数台（図１の例では２台）のラック装置１０からなる。
各ラック装置１０は、それぞれ、複数のコンピュータ機器１００が搭載可能とされている。ラック装置１０は、例えば、前後に開放した略ロ字状をなしており、その両側のサイドフレームに、ラック装置１０に搭載するコンピュータ機器１００を支持するための支持ガイドレール（図示無し）が、上下に予め定められた間隔を隔てて複数段に設けられている。
【００１２】
各ラック装置１０は、搭載されたコンピュータ機器１００に対して電力を分配する電力分配部２０と、当該ラック装置１０に搭載された各コンピュータ機器１００への電力供給を制御する制御装置３０と、を備える。
【００１３】
図２に示すように、電力分配部２０は、外部の分電盤（電力供給源：図示無し）から供給される電力の供給を受ける受電口２１と、ラック装置１０の各段に搭載されるコンピュータ機器１００のコンセントプラグ１０１が接続され、コンピュータ機器１００に電力を供給するための電源ポート２２と、を備える。
また、図１に示したように、電力分配部２０は、ラックマウントシステムＡを構成する他のラック装置１０の電力分配部２０と、ラック間接続ライン（第二の電力供給系統）２３を介し、電気的に接続されている。図３に示すように、電力分配部２０内において、前記の電源ポート２２には、ラック間接続ライン２３と、受電口２１からの受電ライン（第一の電力供給系統）２４とが、電源ポートスイッチ（電力供給系統選択手段）２５を介して接続されている。制御装置３０の制御により電源ポートスイッチ２５を切り替えることで、電源ポート２２に、電力供給を受ける系統を、ラック間接続ライン２３と受電ライン２４との間で切り替え可能とされている。また、電源ポートスイッチ２５は、ラック間接続ライン２３と受電ライン２４の双方と切断することで、電源ポート２２への電力供給自体をＯＦＦとすることができる。
また、電源ポート２２と電源ポートスイッチ２５との間には、電源ポート２２で供給している電力を測定する電力測定器２６が設けられている。電力測定器２６は、信号線２６ｓを介して制御装置３０に接続されており、一定時間ごとに、電力測定器２６で測定した電力値を、制御装置３０に転送する。
【００１４】
さらに、電源ポート２２の近傍には、電源ポート２２にコンセントプラグ１０１が挿入されたことを検出するための検出スイッチ２７と、ＩＣタグの読み取りセンサ２８と、電源ポート２２の状態を示すＬＥＤ等の表示ランプ２９とが設けられている。
【００１５】
検出スイッチ２７は、例えばプレッシャースイッチ等からなり、信号線２７ｓを介して制御装置３０に接続されている。電源ポート２２にコンセントプラグ１０１が接続されると、検出スイッチ２７は、コンセントプラグ１０１が接続されていることを示す信号を、信号線２７ｓを介して制御装置３０に出力する。
【００１６】
各コンピュータ機器１００のコンセントプラグ１０１には、個々のコンピュータ機器１００毎に予め割り当てられたＩＣタグ１０２が備えられている。ＩＣタグ１０２には、コンピュータ機器１００固有の情報として、例えば、そのコンピュータ機器１００を作動させたときの電力値の見積り量である見積り電力値、そのコンピュータ機器１００の優先順位を示すポリシ情報、コンピュータ機器１００のＩＰアドレス等を示す情報が記憶されている。
読み取りセンサ２８は、信号線２８ｓを介して制御装置３０に接続されている。読み取りセンサ２８は、例えば一定時間毎に、周囲の通信可能範囲内にＩＣタグ１０２から出力される信号の有無を検出する。ＩＣタグ１０２からの信号が検出された場合、読み取りセンサ２８は、電源ポート２２に接続されたコンセントプラグ１０１のＩＣタグ１０２から情報を読み取ると、読み取った情報を制御装置３０へ転送する。
【００１７】
表示ランプ２９は、電源ポート２２の状態、例えば、電源ポート２２で電力供給を行っているか否か等の情報を、ランプの点灯の有無、点灯ランプの色等に応じて表示する。この表示ランプ２９は、信号線２９ｓにより制御装置３０に接続されており、表示ランプ２９の表示状態を示す信号を制御装置３０に出力する。
【００１８】
制御装置３０は、予め定められたコンピュータプログラムにより、外部から入力された信号に応じ、図示しない演算処理部、メモリ等が協働して所定の処理を実行する。図２に示したように、制御装置３０は、所定の処理の際に各種情報を格納するためのデータベース（優先順位情報格納部、使用電力見積値格納部）３１と、所定の処理により生成された、ラック装置１０における電力供給状況を示す情報を外部に表示（出力）するためのランプやモニタ等からなる状態表示部３２と、を備える。
制御装置３０は、ラック装置１０内に設けられた制御用ＬＡＮ（Local Area Network）３３を介して各コンピュータ機器１００に接続され、各コンピュータ機器１００のシャットダウンを制御できるようになっている。
さらに、各ラック装置１０に搭載された制御装置３０は、他のラック装置１０の制御装置３０と通信が行えるよう、ラック間通信用ＬＡＮ３４により接続されている。
このような制御装置３０は、各ラック装置１０単位において、電力の設定上限を守る運用を維持する。また、各ラック装置１０において、電力の不足が生じた場合、電力経路の切り替えを行い、機器１００の物理的な移動を伴わずに、余剰となる電力を有している他のラック装置１０からの供給を受ける制御を実行する。
以下、これについて詳述する。
【００１９】
次に、本実施例の動作を図４に示す制御フローを使用して説明する。
制御装置３０のデータベース３１には、ラック装置１０における最大電力値（目標値）が外部から登録可能であり、ラック装置１０の使用開始前に、予め、最大電力値が設定され、データベース３１に記憶されている。
ラック装置１０に搭載される各コンピュータ機器１００のコンセントプラグ１０１が電力分配部２０の各電源ポート２２に差し込まれると（ステップＳ１０１）、電源ポート２２にある検出スイッチ２７がＯＮされる（ステップＳ１０２）。すると、ラック装置１０の電源ポート２２がＯＮされ、電源ポート２２からコンピュータ機器１００に電力が供給される（ステップＳ１０３）。
このとき、検出スイッチ２７のＯＮに伴い、その電源ポート２２の読み取りセンサ２８が動作し、コンセントプラグ１０１のＩＣタグ１０２の情報が読み取られる。ＩＣタグ１０２には、コンピュータ機器１００のＩＰアドレス、コンピュータ機器１００のポリシ（優先順位）、コンピュータ機器１００の使用電力の見積値が格納されている。読み取りセンサ２８では、これらの情報をＩＣタグ１０２から読み取り、制御装置３０に伝達する。制御装置３０では、これら情報を受け取ると、データベース（ＤＢ）３１に登録し、図５に示すように、各電源ポート２２を識別する情報（例えば、電源ポートＮｏ）に関連付けて構成データベース情報を構築する（ステップＳ１０４）。そして、構成データベース情報から、各電源ポート２２に接続されたコンピュータ機器１００における電力見積値の合計値、すなわちラック装置１０全体における合計使用電力見積値αを算出する。算出された合計使用電力見積値αは、データベース３１に記憶させるとともに、制御装置３０に設けられた状態表示部３２に表示させる。
【００２０】
この後、コンピュータ機器１００の動作中は、電源がＯＮされている各電源ポート２２の電力測定器２６において、一定時間毎に電源ポート２２からコンピュータ機器１００に実際に供給している電力の測定を実施することで、コンピュータ機器１００の実際の使用電力を検出し、その測定値情報を制御装置３０に通知する（ステップＳ１０５）。
制御装置３０では、各電源ポート２２のそれぞれについて、この測定値と、ＩＣタグ１０２より読み込んだコンピュータ機器１００の使用電力の見積値と比較する（ステップＳ１０６）。その結果、測定値の方が見積値よりも小さい場合は、ステップＳ１０４に戻り、構成データベース情報を更新する。逆に、測定値の方が見積値よりも大きい場合は、コンピュータ機器１００としての電力がオーバしている状況のため、ラック装置１０全体で使用電力量の合計値が、ラック装置１０に登録された最大電力値（目標値）を越えていないか否かを確認する。このため、制御装置３０は、ラック装置１０に登録された目標値に閾値（例えば９０％）を掛け合わせたものと、構成データベース情報から取得できる、ラック装置１０に搭載されている全コンピュータ機器１００の測定値の合計値βと比較する（ステップＳ１０７）。この際、測定値の合計値βが目標値を下回っている場合は、ステップＳ１０４に戻り、構成データベース情報の内容を更新し、状態を維持する。逆に測定値の合計値βが目標値を上回っている場合は、使用電力が目標値を上回らないようにする制御、すなわち電力天井制御処理を次のように行う。
【００２１】
電力天井制御は、先のステップＳ１０７における比較で、ラック装置１０に登録された目標値に閾値を掛け合わせたものより上回っている測定値の合計値βを、下回るようにするため、一部のコンピュータ機器１００への電力供給を遮断することで行う。これには、目標値に閾値を掛け合わせたものより、実際の使用電力値の合計値βが下回るようなコンピュータ機器１００の組み合わせを検索する。
そこで、まず、コンピュータ機器１００のポリシ（優先順位）が設定されているか否かを確認する（ステップＳ１０８）。コンピュータ機器１００のポリシ（優先順位）が設定されていない場合は、先の電力オーバしたコンピュータ機器１００を、電力供給を停止する対象として識別する。そして、電力供給を停止する対象として識別されたコンピュータ機器１００に対応したＩＰアドレスに対し、制御用ＬＡＮ３３を介し、制御装置３０より停止（シャットダウン）指示を出す（ステップＳ１０９）。これにより、電力供給を停止する対象として識別されたコンピュータ機器１００が停止する。
この後、制御装置３０は、電力供給を停止する対象として識別されたコンピュータ機器１００が接続されている電源ポート２２の電源ポートスイッチ２５をＯＦＦとすることで、コンピュータ機器１００への電力供給を停止する（ステップＳ１１０）。また、これとともに、電源ポートスイッチ２５をＯＦＦとした電源ポート２２の表示ランプ２９を、電力供給が停止している状態であることを示す点灯状態に切り替える（ステップＳ１１１）。
【００２２】
一方、コンピュータ機器１００のポリシ（優先順位）が設定されている場合は、構成データベース情報に情報が登録されているコンピュータ機器１００のうち、一部のコンピュータ機器１００への電力供給を停止させた場合の、残りのコンピュータ機器１００における測定値を合算する（ステップＳ１１２）。この測定値の合算は、優先順位の低いものから高いものへと、電力供給を停止させるコンピュータ機器１００を順次変えて、同様にして行う。また、電力供給を停止させるコンピュータ機器１００は、１台に限らず、複数台を組み合わせることも可能である。その場合も、それぞれの組み合わせにおいて、電力供給を停止させるコンピュータ機器１００以外の、残りのコンピュータ機器１００における測定値の合算を行う。
次いで、ステップＳ１１２で求めた測定値の合算値が、目標値を下回る条件があるか否かを判断する（ステップＳ１１３）。測定値の合算値が目標値を下回る条件が複数存在する場合、優先順位の最も低いコンピュータ機器１００を含む条件を選択する。
そして、選択されたコンピュータ機器１００（１台〜複数台）を、電力供給を停止する対象となるコンピュータ機器１００として識別する。電力供給を停止する対象として識別された全てのコンピュータ機器１００に対応したＩＰアドレスに対し、制御用ＬＡＮ３３を介し、制御装置３０より停止（シャットダウン）指示を出す（ステップＳ１１４）。これにより、電力供給を停止する対象として識別されたコンピュータ機器１００の全てが停止する。
そして、電力供給を停止する対象となるコンピュータ機器１００が接続されている電源ポート２２の電源ポートスイッチ２５をＯＦＦにし、コンピュータ機器１００への電力供給を停止する（ステップＳ１１５）。また、これとともに、電源ポートスイッチ２５をＯＦＦとした電源ポート２２の表示ランプ２９を、電力供給が停止している状態であることを示す点灯状態に切り替える（ステップＳ１１６）。
【００２３】
このようにしてラック装置１０ごとに、使用電力の上限を守る運用を維持する。
【００２４】
また、上記のステップＳ１１１、Ｓ１１６を経た場合、制御装置３０は、強制的な電源停止が発生したことを検知する（ステップＳ１１７）。
【００２５】
さらに、ラック装置１０において、使用電力の上限を超えたために一部のコンピュータ機器１００への電力供給を停止した場合、電源経路の切り替えを行い、機器１００の物理的な移動を伴わずに、余剰となる電力を有している他のラック装置１０からの供給を受けるための処理を行う。
すなわち、まず、ステップＳ１１７に引き続き、コンピュータ機器１００への電力供給停止を行ったラック装置１０において、ステップＳ１０９、Ｓ１１４で電力供給を停止する対象となったコンピュータ機器１００の電力情報（ＩＣタグ１０２の見積値情報）の合計値を算出する。
そして、他のラック装置１０に搭載されている制御装置３０に対し、ステップＳ１０９、Ｓ１１４で電力供給を停止する対象となったコンピュータ機器１００への電力供給が可能か否か、ラック間通信用ＬＡＮ３４を介して問い合わせる（ステップＳ１２０）。問い合わせを受け取った他のラック装置１０の制御装置３０では、その時点での自らのラック装置１０の電力状態に加え、電力供給を停止する対象となったコンピュータ機器１００を受け入れた場合に、ラック装置１０の目標値を満足するか否かを比較する（ステップＳ１２１）。
目標値を満足しない場合は受け入れ不可能（移行不可能）であることを、目標値を満足する場合は受け入れ可能（移行可能）であることを、問い合わせ元のラック装置１０の制御装置３０に回答する（ステップＳ１２２、Ｓ１２３）。回答を受けた制御装置３０では、受け入れ不可の場合、さらに他のラック装置１０が存在する場合は、その制御装置３０に再度問い合わせを実施する（ステップＳ１２４、Ｓ１２０）。
一方、受け入れが可能な場合は、構成データベース情報に、電力供給を停止する対象となるコンピュータ機器１００を他のラック装置１０からの給電に移行することを反映させる。
【００２６】
しかる後、受け入れ先の制御装置３０を有したラック装置１０において、電源ポートスイッチ２５を、受電ライン２４側からラック間接続ライン２３へと電力が供給されるように切り換える。一方、電力供給を停止する対象となったコンピュータ機器１００を搭載したラック装置１０においては、電源ポートスイッチ２５を、ラック間接続ライン２３からコンピュータ機器１００への電力供給が行われるように切り換える。
そして、電源ポートスイッチ２５をＯＮにすることで、電力供給を停止する対象となったコンピュータ機器１００を再び稼動状態にする。これにより、電力供給を停止する対象となったコンピュータ機器１００は、他のラック装置１０から電力供給を受けて作動する。
さらに、構成データベース情報に、電力供給を停止する対象となったコンピュータ機器１００を他のラック装置１０からの給電に移行したことを反映させる（ステップＳ１２５）。
【００２７】
以上説明したように、本発明においては以下に記載するような効果を奏する。
まず、ラック装置１０毎に、当該ラック装置１０が許容できる電力を超えないように使用電力の制御（天井制御）を実施しているので、図示しない分電盤への影響を最小限にとどめることができる。
さらに、各ラック装置１０において、使用電力が、許容できる電力を超えたときには、他のラック装置１０において余剰している電力の供給を受けることができる。したがって、複数のラック装置１０を用いた構成において、必要電力値の超過等が生じた場合にも、コンピュータ機器１００の物理的な移動を伴わず、電力供給をフレキシブルに行って電力供給を安定して行うことができる。その結果、図示しない分電盤の設計を容易に行うことが可能となる。
【００２８】
なお、上述した各実施形態では、ラック装置１０を２台のみ備える構成としたが、もちろんその台数は複数台であればいかなるものであっても良い。
【図面の簡単な説明】
【００２９】
【図１】本発明の実施形態にかかるラックマウントシステムの概略構成を示す図である。
【図２】ラック装置の構成を示す図である。
【図３】ラック装置の電力分配部の構成を示す図である。
【図４】ラック装置における電力供給制御の流れを示す図である。
【図５】構成データベース情報の一例を示す図である。
【符号の説明】
【００３０】
１０  ラック装置
２０  電力分配部
２１  受電口
２２  電源ポート
２３  ラック間接続ライン（第二の電力供給系統）
２４  受電ライン（第一の電力供給系統）
２５  電源ポートスイッチ（電力供給系統選択手段）
２６  電力測定器
２７  検出スイッチ
２８  センサ
３０  制御装置
３１  データベース（優先順位情報格納部、使用電力見積値格納部）、
３２  状態表示部
３３  制御用ＬＡＮ
３４  ラック間通信用ＬＡＮ
１００  コンピュータ機器
１０１  コンセントプラグ
１０２  ＩＣタグ
Ａ     ラックマウントシステム
【図１】
2010134633.tif 000003
【図２】
2010134633.tif 000004
【図３】
2010134633.tif 000005
【図４】
2010134633.tif 000006
【図５】
2010134633.tif 000007